(57)【要約】      （修正有）【課題】着用時の窮屈感が解消されるにも拘らず、体型補整の効果を十分に得ることができる、着用感が快適な上半身用衣類を提供する。【解決手段】身頃部１１０とリフトキープ部１２０とを含み、身頃部１１０は伸縮性を有し、身頃部１１０はフロント部１１２、脇部１１３およびバック部１１４を有しておりフロント部１１２は、アンダーバストラインより下部に設けられており、脇部１１３は、身丈方向Ｌ１の伸度が、わたり方向Ｌ２の伸度よりも低伸度であり、リフトキープ部１２０は帯状で、摩擦係数が身頃部１１０よりも大きく、脇部１１３の上部において背面側から左右両脇を通り前側に至る領域の少なくとも一部に配置され、リフトキープ部１２０は、身頃部１１０の前側および身頃部１１０の背面側において連結されていないことを特徴とする。【選択図】図１
2018188765.tif 000002
【特許請求の範囲】
【請求項１】
補整機能を有する上半身用衣類であって、
身頃部とリフトキープ部とを含み、
前記身頃部は伸縮性を有し、
前記身頃部はフロント部、脇部およびバック部を有しており
前記フロント部は、アンダーバストラインより下部に設けられており、
前記脇部は、身丈方向の伸度が、わたり方向の伸度よりも低伸度であり、
前記リフトキープ部は帯状で、摩擦係数が前記身頃部よりも大きく、前記脇部の上部において背面側から左右両脇を通り前側に至る領域の少なくとも一部に配置され、
前記リフトキープ部は、前記身頃部の前側および前記身頃部の背面側において連結されていないことを特徴とする上半身用衣類。
【請求項２】
前記フロント部は、わたり方向の伸度が、身丈方向の伸度よりも低伸度であることを特徴とする、請求項１記載の上半身用衣類。
【請求項３】
裾部の位置がヒップトップよりも下まで延びていることを特徴とする請求項１または２記載の上半身用衣類。
【請求項４】
前記フロント部のせん断剛性が、０．８〜１．８ｇｆ／ｃｍ・ｄｅｇの範囲内（７．８４〜１７．６４ｍＮ／ｃｍ・ｄｅｇの範囲内）にあることを特徴とする請求項１から３のいずれか一項に記載の上半身用衣類。
【発明の詳細な説明】
【技術分野】
【０００１】
本発明は、上半身用衣類に関する。
【背景技術】
【０００２】
従来から、自分の体型を美しく見せたいという強いニーズがある。このようなニーズに応えるための技術として、各種の衣類が開発されている。例えば、おなか周りを中心とした補整衣類としては、腹部に当て布（補強布）を設けて左右から引っ張ることで、腹部を押圧して補整するガードルがある（例えば、特許文献１、２参照）。
【先行技術文献】
【特許文献】
【０００３】
【特許文献１】特開平８−３０２５０３号公報
【特許文献２】実用新案登録第３２０１３５９号公報
【発明の概要】
【発明が解決しようとする課題】
【０００４】
しかしながら、上記例等の従来の衣類においては、補整箇所において、左右から当て布を引っ張るために周径上に締めこむ、すなわち、きつくする必要がある。そのため、補整箇所は押さえられるものの着用時の窮屈感があり、着用感は快適であるとはいえなかった。また、周径をきつくする方法で理想的な補整を行うためには、かなりきつく(周径を小さく)する必要があるが、その場合、そのままでは脱ぎ着ができず、ホック等の係止具が不可欠となる。通常のキャミソールのようにそのままでの脱ぎ着を可能とすると周径を大きくせざるを得ず、その場合には十分な補整が得られなかったという問題があった。
【０００５】
そこで、本発明は、弛みを伸ばして良好なシルエットを形成するとともに動いてもそのシルエットを保持することができ、かつ、締め付け感を軽減することができ、着用時の窮屈感が解消されるにも拘らず、特に脇部分における体型補整の効果を十分に得ることができる、着用感が快適な上半身用衣類を提供することを目的とする。
【課題を解決するための手段】
【０００６】
前記目的を達成するために、本発明の上半身用衣類は、補整機能を有する上半身用衣類であって、身頃部とリフトキープ部とを含み、
前記身頃部は伸縮性を有し、
前記身頃部はフロント部、脇部およびバック部を有しており
前記フロント部は、アンダーバストラインより下部に設けられており、
前記脇部は、身丈方向の伸度が、わたり方向の伸度よりも低伸度であり、
前記リフトキープ部は帯状で、摩擦係数が前記身頃部よりも大きく、前記脇部の上部において背面側から左右両脇を通り前側に至る領域の少なくとも一部に配置され、
前記リフトキープ部は、前記身頃部の前側および前記身頃部の背面側において連結されていないことを特徴とする。
【発明の効果】
【０００７】
本発明の上半身用衣類によれば、着用時の窮屈感が解消されるにも拘らず、特に脇部分における体型補整の効果を十分に得ることができる、着用感が快適な上半身用衣類を提供することができる。
【図面の簡単な説明】
【０００８】
【図１】図１は、本発明の第１の実施形態に係るボディセパレート１００を示す図であり、図１（ａ）は前面図、図１（ｂ）は背面図である。
【図２】図２は、前記第１の実施形態に係るボディセパレート１００の着用状態での正面斜視図である。
【図３】図３（ａ）〜（ｅ）は、本発明におけるリフトキープ部のバリエーションを示す図である。
【図４】図４（ａ）、（ｂ）は、着用評価における脇部の状態を示す図である。
【図５】図５は、着用評価において、脇部を正面から見た状態を示す図である。
【発明を実施するための形態】
【０００９】
本発明の上半身用衣類において、前記フロント部は、わたり方向の伸度が、身丈方向の伸度よりも低伸度であることが好ましい。
【００１０】
本発明の上半身用衣類において、裾部の位置がヒップトップよりも下まで延びていることが好ましい。
【００１１】
本発明の上半身用衣類において、前記フロント部のせん断剛性が、０．８〜１．８ｇｆ／ｃｍ・ｄｅｇの範囲内（７．８４〜１７．６４ｍＮ／ｃｍ・ｄｅｇの範囲内）にあることが好ましい。
【００１２】
本発明の上半身用衣類について、例をあげて説明する。ただし、本発明は、以下の例に限定および制限されない。
【００１３】
（第１の実施形態）
図１および図２に、本発明の第１の実施形態に係るボディセパレート(セパレート型ボディスーツ)１００を示す。図１（ａ）は、ボディセパレート１００の前面図、図１（ｂ）は、ボディセパレート１００の背面図、図２は、ボディセパレート１００の着用状態での正面斜視図である。本実施形態のボディセパレート１００は、補整機能を有する上半身用衣類であって、身頃部１１０と、リフトキープ部１２０とを含む。なお、本発明において、「補整機能」とは脇肉の弛みを引き上げてスムージングする機能をいい、その他の機能については、あってもなくてもよい。なお、図１（ａ）に示す符号Ｌ１は、身丈（上下）方向を示しており、符号Ｌ２は、わたり（左右）方向を示すものである。身丈方向およびわたり方向については、図１（ａ）以降の図においても同様であるが、図面の簡略化のため、図１（ａ）以外の図では、符号Ｌ１および符号Ｌ２は省略している。
【００１４】
本実施形態では、身頃部１１０は、本体布１１１、フロント部１１２、脇部１１３、バック部１１４、脇上辺布１１５およびカップ布１１６から構成される。そして、図１（ａ）および図２に示すように、フロント部１１２は、アンダーバストラインより下部に設けられている。脇部１１３は身頃部の左右に設けられており、それぞれが脇線を含んでいる。脇部１１３のわたり方向Ｌ２の幅は、それぞれ胴回りの長さの２０〜３０％の長さであることが好ましい。身頃部１１０は伸縮性を有しているが、脇部１１３は、身丈方向Ｌ１の伸度が、わたり方向Ｌ２の伸度よりも低伸度である。
【００１５】
リフトキープ部１２０は帯状であり、摩擦係数は身頃部１１０より大きい。そして、リフトキープ部１２０は、脇部１１３の上部において背面側から左右両脇を通り前側に至る領域の少なくとも一部に配置されている。ここで、「左右」とは、前から見た左右であっても、後から見た左右であってもよい。そして、リフトキープ部１２０は、図１（ａ）および図２に示すように、身頃部１１０の前側（フロント部１１２側）において連結されておらず、かつ、図１（ｂ）に示すように、身頃部１１０の背面側（バック部１１４側）においても連結されていない。本実施形態では、リフトキープ部１２０は脇部１１３上に配置され、リフトキープ部１２０の前側端部は、各々がフロント部１１２の端部まで延びている。
【００１６】
リフトキープ部１２０が配置されている脇部１１３は、身丈方向の伸度が、わたり方向の伸度よりも低伸度である。ボディセパレート１００は、着用の仕方としては、脚側から穿き込むことが好ましい。ボディセパレート１００を穿き込む際には、ボディセパレート１００が身体の脇部分から離れないように身体に沿わせた（密着した）状態を保持しつつ穿き込み、着用することが好ましい。こうすることによって、脇部分の肉が持ち上がり、持ち上げた脇部分の肉を脇部１１３の上部に配置されたリフトキープ部１２０によって保持するため、効果的に脇部分のシルエットを整えることが可能となる。脇部１１３の身丈方向の伸度が小さいので、リフトキープ部１２０により脇部分の肉をしっかりと引き上げることができ、効果的に体型補整を行うことができる。このような素材としては、ワンウェイラッセル等をあげることができる。
【００１７】
本発明によると、従来のコルセット等の胴部分補整衣類にみられるような、身丈方向およびわたり（身周り）方向の全ての伸びを止めて緊締力を出すのではなく、身体の動きに追随する最低限の伸びは保ち身丈方向に伸びるようにするために、身頃部１１０は伸縮性を有するとともに、リフトキープ部１２０は、身頃部１１０の前側（フロント部１１２側）および身頃部１１０の背面側（バック部１１４側）において連結されていない。ここで、フロント部１１２は、わたり（身周り）方向が身丈（上下）方向よりも低伸度であることが好ましい。このような構成とすることで、左右のリフトキープ部１２０によって発生する力によって効果的に腹部を押さえて体型補整の効果を十分に得ることができるとともに、着用時の窮屈感をより解消することができる。
【００１８】
身頃部１１０の背面側（バック部１１４側）においては、左右のリフトキープ部１２０の背面側は、肉が少なく着用時のズレが少ない背骨付近の位置を挟むことによって、左右のリフトキープ部が連結されていなくとも引張の支点となることができる。このように、上半身用衣類の前側に加えて背面側においてもリフトキープ部１２０が連結されておらず、左右のリフトキープ部１２０の間に身頃部１１０を構成する伸縮性のバック部１１４があることで、周径上の締めこみが軽減され、着用時の窮屈感がより解消される。また、周径上の締め込みが軽減されることで、着用時に上半身用衣類からの肉のはみ出しを軽減し、衣類と肌との境界部分に段差が発生することを防ぐこともできる。バック部１１４は、身丈方向、わたり方向ともに伸度の大きい例えばスムース等の素材が好ましいが、身丈方向の伸縮性に比べ、わたり方向の伸縮性が高いワンウェイラッセル等の素材を用いてもよい。
【００１９】
本実施形態において、リフトキープ部１２０は、別部材を身頃部１１０に取り付けて形成されている。ただし、本発明はこれに限られず、例えば、樹脂プリントのように樹脂を身頃部１１０に塗布して摩擦係数を高くすることによりリフトキープ部１２０を形成してもよいし、さらには、身頃部１１０の編組織を部分的に変更することによって摩擦係数を高くすることによりリフトキープ部１２０を形成してもよい。また、リフトキープ部１２０は、編地の形成する糸種を部分的に変更するといった手法によって編地の摩擦係数を変化させることによって形成してもよい。また、編組織の変更や編地を形成する糸種の変更などにより、脇部とバック部とを１枚の生地で構成してもよい。
【００２０】
リフトキープ部１２０は、わたり方向に対して斜めに配置してもよい。わたり方向に対して斜めに配置することで、一定のわたり方向の幅の領域にリフトキープ部１２０を配置させたい場合であっても、リフトキープ部の面積を大きくすることができ、摩擦抵抗力を大きくすることができる。大きい摩擦抵抗力が得られることで、効果的に脇部分のシルエットを整えることが可能となり、好ましい。前記のように斜めに配置する場合には、バック部１１４側の位置を高く、フロント部１１２側の位置を低く配置すると、脇部１１３の後方（背面側）の背中の肉を効果的にスムージングすることができ、好ましい。リフトキープ部１２０は、脇部１１３の領域に設けることで良好な効果が得られるが、これに限定されない。例えば、脇部１１３にのみリフトキープ部１２０を設けるのではなく、バック部１１４に延ばして設けることで、着用者の体型によっては、より効果的な背中の肉からのスムージングが可能となる。しかしこの場合においても、リフトキープ部１２０は、身頃部１１０の背面側（バック部１１４側）において連結されないことが必要である。
【００２１】
図３に、本発明におけるリフトキープ部１２０のバリエーションの図を示す。本発明において、リフトキープ部１２０は、図３（ａ）に示すように、帯状の一部材で形成されていてもよいし、図３（ｂ）、（ｃ）および（ｄ）に示すように、複数の横長の帯状の部材が間隔を空けて配置されることにより構成されていてもよい。図３（ｂ）、（ｃ）および（ｄ）のようにリフトキープ部１２０が間隔を空けた複数の横長の帯状の部材で構成されている場合、リフトキープ部１２０が、皮膚の動きに追随しやすくなるため好ましい。また、図３（ｅ）は、図１に示すタイプのボディセパレート１００よりも、身頃部１１０の前側においてリフトキープ部１２０が設けられている距離が短くなっている。このように、本発明では、身頃部の前側におけるリフトキープ部を設ける距離については、デザインまたは実現したい摩擦抵抗力の加え方に応じて適宜決定することができる。
【００２２】
なお、本実施形態では、リフトキープ部１２０を帯状に形成する例を挙げているが、本発明はこれに限定されるものではない。例えば、リフトキープ部を、花柄、幾何柄等の各種の意匠性の有るデザインの形状としてもよい。
【００２３】
なお、リフトキープ部の端部をフロント部の端部まで設けると、リフトキープ部による引張力がフロント部にかかるため、より効果的に腹部を押さえることができる。
【００２４】
リフトキープ部の幅は１．５ｃｍ〜１２．０ｃｍが好ましく、より好ましくは、５ｃｍ〜８ｃｍである。また、リフトキープ部の幅は、全体が同一の幅となるように形成してもよいし、位置によって幅を変えてもよい。
【００２５】
本発明において、身頃部１１０に使用できる素材は特に制限されないが、身体にフィットする、身体に密着する伸縮性のある素材であればよい。身頃部１１０に使用できる素材としては、例えば、経編地または緯編地（丸編地）等が挙げられる。
【００２６】
また、フロント部１１２は、せん断剛性が０．８〜１．８ｇｆ／ｃｍ・ｄｅｇの範囲内（１ｇｆ＝９．８ｍＮでＳＩ単位系に換算すると、７．８４〜１７．６４ｍＮ／ｃｍ・ｄｅｇの範囲内）にあることが好ましい。より好ましくは、１．０〜１．５ｇｆ／ｃｍ・ｄｅｇの範囲内（９．８０〜１４．７０ｍＮ／ｃｍ・ｄｅｇの範囲内）である。前記範囲内のように、フロント部がせん断剛性の小さい素材であると、アンダーバストから腹部の曲面に沿いながら３方向からの引張を受けるため、曲面に沿った腹部押さえ効果を発揮することができる。フロント部に使用できる素材としては、例えば、天竺、スムース、フライス等の丸編みや、ラッセル、トリコット等の経編み、またはこれらの変形組織等を挙げることができる。さらに、上記の組織においては、ポリウレタンが混用されていてもよい。せん断剛性とは、ＫＥＳ−ＦＢ計測システム（Ｋａｗａｂａｔａ’ｓ  Ｅｖａｌｕａｔｉｏｎ  Ｓｙｓｔｅｍ  ｆｏｒ  Ｆａｂｒｉｃ）によって測定されるせん断特性を示す値である。せん断剛性は、図１（ａ）に示すＬ２方向における値であり、有効試料の大きさが２０ｃｍ×５ｃｍとなるように試料をチャックし、強制荷重を５ｇｆ／ｃｍ（４９．０ｍＮ／ｃｍ）として、最大せん断角度が±４°、せん断ずり速度が０．４１７ｍｍ／ｓｅｃの条件で測定した値である。この測定試験機として、カトーテック株式会社製のＫＥＳ−ＦＢ１（引張り・せん断試験機）を用いることができる。
【００２７】
本発明において、リフトキープ部１２０が有している摩擦係数は、身頃部１１０の摩擦係数よりも相対的に大きい。すなわち、リフトキープ部１２０は、身頃部１１０と比較して滑りにくいという滑り止め機能を有している。リフトキープ部１２０の摩擦係数が身頃部１１０の摩擦係数よりも大きいことで、ボディセパレート１００を着用する際に、摩擦係数の大きいリフトキープ部１２０で発生する摩擦力で脇部分の肉を持ち上げることができ、かつ、持ち上げた肉を滑らずに保持することができる。すなわち、リフトキープ部１２０の位置を安定させることができ、効果的に脇部分の肉を引き上げてスムージング効果を保持することができる。
【００２８】
この場合、前記摩擦抵抗力は、着用時に脇部分の肉を持ち上げることができ、かつ、持ち上げた肉を保持することができる程度であればよく、リフトキープ部１２０としては、例えば、樹脂プリント、または、ナノ繊維等を用いてもよい。また、リフトキープ部１２０を身頃部１１０の編地の一部として形成する場合も考えられるが、このような場合には、身頃部１１０の編組織をリフトキープ部１２０に相当する領域だけ変更して形成するようにしてもよいし、リフトキープ部１２０に相当する領域だけ糸種を変更するようにしてもよい。
【００２９】
本実施形態において、リフトキープ部１２０は、着用時に、わたり方向に引き伸ばされるため、リフトキープ部１２０には、生地が引き伸ばされた状態でも滑り止め効果を有する生地を使用することが好ましい。このような生地の例として、例えば、経編によって編成された伸縮性を有する基本組織と、圧縮力の作用によって撓みが生じると表面積が増加する特性を有する長繊維または短繊維から成る浮かし糸とで構成され、浮かし糸が基本組織に対して経方向に編み込まれる毎に異なる方向に振られ、かつ、幅方向の両端側で基本組織に編み込まれる部分以外が基本組織の表側に露出する浮かし編み（パイル）組織を備えている編地が挙げられる（以下、この編地を「素材Ｗ」ともいう。）。この素材Ｗでは、浮かし編み組織が、編地の編み込み方向と直交する方向の両端側以外では基本組織に編み込まれておらず、基本組織の表側に露出している。そのため、素材Ｗが経（編み込み）方向に引っ張られて幅方向に縮むと、浮かし糸のループを形成する部分以外の部分に撓みが生じ、その結果編地の表側に膨らんだ状態となる。これにより、素材Ｗは、経方向に引き伸ばされても表面積が大きい状態を保つことができるため、肌と接したときの摩擦抵抗を向上させて、滑りにくくすることができる。そこで、このような素材Ｗを、その経方向が身頃部１１０のわたり方向に一致する、または、図１に示すリフトキープ部１２０のように身頃部１１０のわたり方向に沿うように配置することにより、着用状態で引き伸ばされたときも肌に接したときに高い摩擦抵抗力が生じるため、好ましい。なお、上記の浮かし糸としては、その一部または全部について長繊維または短繊維から成る外径が１μｍ以下の、いわゆるナノ繊維を用いることが考えられる。より具体的には、割繊型もしくは溶融紡糸によって形成されるナノ繊維が例として挙げられる。これにより、摩擦抵抗を大幅に向上させて滑り難くすることが考えられる。
【００３０】
本発明の上半身用衣類は、裾部の位置がヒップトップより下であることが好ましい。ヒップトップよりも下まで身頃部１１０が延びていることによって、着用時の裾部のずり上がりを抑制することができ、安定感を得ることができる。
【００３１】
本実施形態のボディセパレート１００は、一対の肩ストラップ１３０を備えている。肩ストラップ１３０の一端は前側のカップ布１１６に取り付けられ、肩ストラップ１３０の他端は脇部１１３の後側上辺部に取り付けられた円環の係止具１３１を通って反転し、エイト環からなる長さ調節具１３２に導入されることによって、脇部１１３の後側上辺部に取り付けられている。このような方法で肩ストラップ１３０を取り付けると、肩ストラップ１３０の長さは調整が可能となる。肩ストラップ１３０の態様はこれに限定されず、例えば、カップ布１１６の左右の上部同士を互いに繋ぐように取り付けられている、いわゆる「ホルターネック」タイプであってもよい。肩ストラップ１３０は、身頃部１１０を肩から吊り下げるものであればよい。例えば、肩ストラップ１３０は、紐や布テープであってもよいし、タンクトップのような幅の広い、いわゆるラウンドタイプのストラップであってもよい。
【００３２】
肩ストラップを有している態様においては、本発明の構成を採ることによって、上半身用衣類が脇で固定されていることで、肩ストラップが下方向に引っ張られにくいという効果も有する。そのため、着用主観評価においては、肩が凝りにくいという意見を持った着用者も存在した。
【００３３】
また、本発明の上半身用衣類は、肩ストラップ１３０を有していない、いわゆるチューブトップタイプとすることもできる。肩ストラップ１３０を有していない態様においても、脇で固定されるため、ずり下がりにくい。また、首回りを広げて着用できる設計とすることで、袖付きのタイプとすることもできる。あるいは、バスト部分にカップ部を設けた、カップ付き衣類とすることもできる。ボディセパレート１００は、造形性を有するカップ部を有しておらず、フロント部１１２および脇部１１３の上部に配置される脇上辺布１１５およびカップ布１１６を締め付けない構成とすることで、バストの造形機能を有するブラジャーと併用して、所望のバスト形状を得るのと同時に、脇部の体型補整も行うことができる。本発明の上半身用衣類によると、ブラジャーとウエストニッパーとを組み合わせるといった従来のやり方では生じ易かった、各衣類の隙間部分における肉のはみ出し等の体型の崩れを防ぐことができる。
【００３４】
（評価１）
本発明の実施形態１に係るボディセパレート１００を作製し、着用評価を行った。本評価において、ボディセパレート１００のリフトキープ部１２０は、図３（ｃ）に示す３本の帯状の部材が間隔を空けて配置されており、リフトキープ部１２０の前側端部は、各々がフロント部１１２の端部まで延びている態様とした。図４は、着用評価における脇部の状態を示す図であり、図４（ａ）はヌード状態（ボディセパレート１００を着用していない状態）、図４（ｂ）はボディセパレート１００を着用し、所定の動作を行った後の状態を示す。評価は、皮膚の動きがわかりやすくなるようにヌード状態の脇側部分の肌に格子状の線を描き、ボディセパレート１００の着用による格子の交点部分の位置の変化を観察することで行った。その結果、図４に示すように、ボディセパレート１００を着用し、所定の動作後であっても、各交点がヌード状態から上方に持ち上がった状態になっていることがわかった。
【００３５】
（評価２）
脇側における体型補整についての着用評価を行った。図５は、脇部を正面から見た状態を示す図である。図中においては、評価１で用いたボディセパレート１００を着用した際の脇部のラインを実線で、ヌード状態での脇部のラインを破線で示している。図５に示すように、ボディセパレート１００を着用することにより、特にウエスト下部付近の領域とアンダーバスト下部付近の領域において、スリムなシルエットが得られており、身体のラインがスムージングされていることがわかる。
【００３６】
以上のように、本発明のボディセパレート１００は、着用時の窮屈感が解消されるにも拘らず、体型補整の効果を十分に得ることができる、着用感が快適な上半身用衣類であることが確認できた。
【００３７】
以上、本発明の具体例として、ボディセパレートを挙げて本発明を説明したが、本発明の上半身用衣類は、キャミソールや裾部の長いスリップ等にも適用することができる。本発明の上半身用衣類は、これらの具体例で記載されたもののみに限定されるものではなく、種々の態様が可能である。例えば、上記の実施形態のようなファンデーション衣類以外にも、レオタード、水着、その他各種の衣類に適用できる。
【産業上の利用可能性】
【００３８】
本発明によれば、着用時の窮屈感が解消されるにも拘らず、体型補整の効果を十分に得ることができる、着用感が快適な上半身用衣類を提供することができる。本発明は、体型を補整するための衣類において、有効に利用することができるが、その用途は限定されず、広い分野で使用することができる。本発明は種々の態様が可能であり、例えば、上記の実施形態のボディセパレート以外にも、ワンピース型ボディスーツ等の体型補整用衣類、スポーツ衣類、アウター、医療用衣類（サポーター）など、各種の衣類に適用できる。
【符号の説明】
【００３９】
１００  上半身用衣類（ボディセパレート）
１１０  身頃部
１１１  本体布
１１２  フロント部
１１３  脇部
１１４  バック部
１１５  脇上辺布
１１６  カップ布
１２０  リフトキープ部
１３０  肩ストラップ
１３１  円環係止具
１３２  長さ調節具
Ｌ１  身丈（上下）方向
Ｌ２  わたり（左右）方向
【図１】
2018188765.tif 000003
【図２】
2018188765.tif 000004
【図３】
2018188765.tif 000005
【図４】
2018188765.tif 000006
【図５】
2018188765.tif 000007